(57)【要約】【課題】手動編集を効率的に行うことができる記録再生装置を提供すること。【解決手段】システムコントローラは、手動編集のために、対象となるタイトルの再生を行わせる際に、リファレンスデータの編集ポイントに基づいて、再生速度を可変とさせる。すなわち、リファレンスデータの編集ポイントである時間Ｔ１、Ｔ２、Ｔ３、Ｔ４、Ｔ５の時間ｔ前より再生速度を大きく落とし、ユーザーが編集ポイントを指定しやすくする。そして、ユーザーが時間ｕ１、ｕ２、ｕ３、ｕ４、ｕ５のそれぞれにおいて編集ポイントを指定すると、再生速度を元に戻す。【選択図】図２
2007213678.tif 000002
【特許請求の範囲】
【請求項１】
記録されたタイトルの編集を行う記録再生装置であって、
第１の放送番組の記録されたタイトルの編集の際に指定された編集ポイントの記録されたリファレンスデータを記憶する記憶手段と、
速度低下解除指令を入力する入力手段と、
放送番組の番組情報を取得する取得手段と、
第２の放送番組の記録されたタイトルの手動編集を行う際に、前記第１の放送番組と前記第２の放送番組との番組情報を比較することによって類似度を算出し、前記類似度の最も高い前記リファレンスデータを参照し、
手動編集のために、前記第２の放送番組の記録されたタイトルを再生させるとともに、参照した前記リファレンスデータの編集ポイントに対応する時点の所定時間前以降では、速度低下指令を出すことによって、前記第２の放送番組の記録されたタイトルの再生速度を他の部分に比べて低下させ、
参照した前記リファレンスデータの第１の編集ポイントに起因する、前記第２の放送番組の記録されたタイトルの再生速度低下中に、編集作業が行われたとき、前記第１の編集ポイントに起因する速度低下指令を解除させ、
参照した前記リファレンスデータの第２の編集ポイントに起因する、前記第２の放送番組の記録されたタイトルの再生速度低下中に、前記速度低下解除指令が入力されたとき、前記第２の編集ポイントに起因する速度低下指令を解除させる制御手段とを備えたことを特徴とする記録再生装置。
【請求項２】
記録されたタイトルの編集を行う記録再生装置であって、
編集ポイントの記録されたリファレンスデータを記憶する記憶手段と、
手動編集のために、記録された前記タイトルを再生させるとともに、前記リファレンスデータを参照し、前記リファレンスデータの編集ポイントに対応する時点の所定時間前以降では、速度低下指令を出すことによって、前記タイトルの再生速度を他の部分に比べて低下させる制御手段とを備えたことを特徴とする記録再生装置。
【請求項３】
前記制御手段は、前記リファレンスデータの第１の編集ポイントに起因する前記タイトルの再生速度低下中に、編集作業が行われたとき、前記第１の編集ポイントに起因する速度低下指令を解除させることを特徴とする請求項２に記載の記録再生装置。
【請求項４】
速度低下解除指令を入力する入力手段を備え、
前記制御手段は、前記リファレンスデータの第２の編集ポイントに起因する前記タイトルの再生速度低下中に、前記速度低下解除指令が入力されたとき、前記第２の編集ポイントに起因する速度低下指令を解除させることを特徴とする請求項２又は３に記載の記録再生装置。
【請求項５】
放送番組の番組情報を取得する取得手段を備え、
前記リファレンスデータは、第１の放送番組の記録されたタイトルの編集の際に指定された編集ポイントを記録したものであり、
前記制御手段は、第２の放送番組の記録されたタイトルの手動編集を行う際に、前記第１の放送番組と前記第２の放送番組との番組情報を比較することによって類似度を算出し、前記類似度の最も高い前記リファレンスデータを参照することを特徴とする請求項２から４いずれか１項に記載の記録再生装置。
【請求項６】
放送番組の番組情報を取得する取得手段を備え、
前記リファレンスデータは、第１の放送番組の記録されたタイトルの編集の際に指定された編集ポイントを記録したものであり、
前記制御手段は、第２の放送番組の記録されたタイトルの手動編集を行う際に、前記第１の放送番組と前記第２の放送番組との番組情報を比較することによって類似度を算出し、出力装置に、前記類似度の高い順に前記リファレンスデータを並べたリストを表示させ、
前記リストから、参照する前記リファレンスデータを選択する参照データ選択手段を備えたことを特徴とする請求項２から４いずれか１項に記載の記録再生装置。
【発明の詳細な説明】
【技術分野】
【０００１】
本発明は、記録再生装置に関する。
【背景技術】
【０００２】
ハードディスクレコーダーやＤＶＤ（Digital Versatile Disk）レコーダーなどの記録再生装置においては、記録媒体に記録されたタイトルに対して削除やチャプター挿入といった編集を行うことができるものが普及している。なお、ここで、タイトルとは、一度に編集が行われるストリームを示す単位のことであり、例えば、１回の録画によって得られた番組データなどが該当する。
【０００３】
多くの連続ドラマのように毎回同じ番組構成で放送される番組は、毎回同じ時間にコマーシャルやエンディングが放送される。このように同じデータ構成（番組構成）を持つ番組を複数回記録媒体に記録する場合に、編集作業の効率化が可能な記録再生装置として、特許文献１、特許文献２に記載のものが知られている。
【０００４】
特許文献１に記載の発明は、記憶された特徴点データと記録又は再生中の番組データとを比較する比較手段と、比較により、特徴点データと記録又は再生中のデータとが一致するポイントを編集ポイントとするバーチャルタイトルを作成する作成手段とを備えた記録再生装置に関するものである。
【０００５】
特許文献１に記載の発明によると、番組の特徴点データを取得し、取得した特徴点データと記録又は再生中の番組データとを比較し、比較により特徴点データと記録又は再生中の番組データとが一致するポイントを編集ポイントとするバーチャルタイトルを作成することで、元のデータを破壊することなく、安全に自動編集を行うことができる。
【０００６】
特許文献２に記載の発明は、あるタイトルに対する編集内容をテンプレート情報として保存する保存手段と、テンプレート情報に従って記録媒体内から選択されたタイトルを編集・再生する実行手段とを備えた記録再生装置に関するものである。
【０００７】
特許文献２に記載の発明によると、保存しているテンプレート情報を複数のタイトルに対する編集情報として共有するので、編集作業が効率化できるのみならず、タイトルごとに編集情報を記憶しておく必要がないので、記録媒体の空き容量を無駄に消費することがない。また、元のデータを破壊することなく、安全に自動編集を行うことができる。
【特許文献１】特開２００５−２８６９５０号公報
【特許文献２】特開２００５−７８６８４号公報
【発明の開示】
【発明が解決しようとする課題】
【０００８】
ところで、特許文献１、特許文献２に記載の記録再生装置は、多くの連続ドラマのように毎回同じ番組構成で放送される番組を複数回記録媒体に記録する場合には、自動編集による効率的な編集が可能である。しかしながら、多少なりとも番組構成が変化すると、自動編集の結果、視聴したい部分が削除されてしまう、削除したい部分が残ってしまうなどの不具合を生じる。このような場合には、特許文献１、特許文献２に記載の記録再生装置は、従来通り、手動で順に再生しながら編集を行うしかなく、編集効率は大幅に悪化する。
【０００９】
上記の問題点を鑑み、本発明においては、手動編集を効率的に行うことができる記録再生装置を提供することを目的とする。
【課題を解決するための手段】
【００１０】
本発明においては、記録再生装置は、記録されたタイトルの編集を行う記録再生装置であって、第１の放送番組の記録されたタイトルの編集の際に指定された編集ポイントの記録されたリファレンスデータを記憶する記憶手段と、速度低下解除指令を入力する入力手段と、放送番組の番組情報を取得する取得手段と、第２の放送番組の記録されたタイトルの手動編集を行う際に、前記第１の放送番組と前記第２の放送番組との番組情報を比較することによって類似度を算出し、前記類似度の最も高い前記リファレンスデータを参照し、手動編集のために、前記第２の放送番組の記録されたタイトルを再生させるとともに、参照した前記リファレンスデータの編集ポイントに対応する時点の所定時間前以降では、速度低下指令を出すことによって、前記第２の放送番組の記録されたタイトルの再生速度を他の部分に比べて低下させ、参照した前記リファレンスデータの第１の編集ポイントに起因する、前記第２の放送番組の記録されたタイトルの再生速度低下中に、編集作業が行われたとき、前記第１の編集ポイントに起因する速度低下指令を解除させ、参照した前記リファレンスデータの第２の編集ポイントに起因する、前記第２の放送番組の記録されたタイトルの再生速度低下中に、前記速度低下解除指令が入力されたとき、前記第２の編集ポイントに起因する速度低下指令を解除させる制御手段とを備えたことを特徴とする。
【００１１】
これによると、手動編集を効率的に行うことができる記録再生装置が提供される。
【００１２】
本発明においては、記録再生装置は、記録されたタイトルの編集を行う記録再生装置であって、編集ポイントの記録されたリファレンスデータを記憶する記憶手段と、手動編集のために、記録された前記タイトルを再生させるとともに、前記リファレンスデータを参照し、前記リファレンスデータの編集ポイントに対応する時点の所定時間前以降では、速度低下指令を出すことによって、前記タイトルの再生速度を他の部分に比べて低下させる制御手段とを備えたことを特徴とする。
【００１３】
これによると、制御手段は、手動編集のために、記録されたタイトルを再生させるとともに、リファレンスデータを参照し、リファレンスデータの編集ポイントに対応する時点の所定時間前以降では、速度低下指令を出すことによって、記録されたタイトルの再生速度を他の部分に比べて低下させる。したがって、行いたい編集の内容がリファレンスデータに記録されている編集内容とある程度似通っている場合、編集ポイントの指定は再生速度が低下したときに行われることになるので、編集ポイントの指定が容易となり、編集したいポイントを通り過ぎてしまうなどのミスを防止できる。また、行いたい編集の内容がリファレンスデータに記録されている編集内容と全く同じでなくとも、ある程度似通っていれば、手動編集の効率化ができるので、従来の自動編集に比べて柔軟性に優れている。
【００１４】
本発明においては、上記構成の記録再生装置において、前記制御手段は、前記リファレンスデータの第１の編集ポイントに起因する前記タイトルの再生速度低下中に、編集作業が行われたとき、前記第１の編集ポイントに起因する速度低下指令を解除させることとしてもよい。
【００１５】
これによると、制御手段は、リファレンスデータの第１の編集ポイントに起因する、記録されたタイトルの再生速度低下中に、編集作業が行われたとき、第１の編集ポイントに起因する速度低下指令を解除させる。行いたい編集の内容がリファレンスデータに記録されている編集内容とある程度似通っていれば、第１の編集ポイントに対応して、編集作業は一度だけ行われる場合が多いと考えられる。そのため、第１の編集ポイントに起因する再生速度低下中に、編集作業が行われたとき、第１の編集ポイントに起因する速度低下指令を解除することで、次の編集作業に素早く移ることができ、手動編集を効率的に行うことができる。
【００１６】
本発明においては、上記構成の記録再生装置において、速度低下解除指令を入力する入力手段を備え、前記制御手段は、前記リファレンスデータの第２の編集ポイントに起因する前記タイトルの再生速度低下中に、前記速度低下解除指令が入力されたとき、前記第２の編集ポイントに起因する速度低下指令を解除させることとしてもよい。
【００１７】
これによると、制御手段は、リファレンスデータの第２の編集ポイントに起因する、記録されたタイトルの再生速度低下中に、速度低下解除指令が入力されたとき、第２の編集ポイントに起因する速度低下指令を解除させる。そのため、リファレンスデータの第２の編集ポイントに対応する位置での編集作業を行わない場合には、速度低下解除指令を入力することにより、次の編集作業に素早く移ることができ、行いたい編集の内容がリファレンスデータに記録されている編集内容と若干異なっていても、手動編集を効率的に行うことができる。
【００１８】
本発明においては、上記構成の記録再生装置において、放送番組の番組情報を取得する取得手段を備え、前記リファレンスデータは、第１の放送番組の記録されたタイトルの編集の際に指定された編集ポイントを記録したものであり、前記制御手段は、第２の放送番組の記録されたタイトルの手動編集を行う際に、前記第１の放送番組と前記第２の放送番組との番組情報を比較することによって類似度を算出し、前記類似度の最も高い前記リファレンスデータを参照することとしてもよい。
【００１９】
これによると、制御手段は、複数のリファレンスデータの中から手動編集の際に参照するリファレンスデータとして、番組情報の比較により算出した類似度の最も高いリファレンスデータを選択することとなる。したがって、リファレンスデータに記録されている編集内容が、行いたい編集と非常に似通ったものとなる場合が多くなり、手動編集を効率的に行うことができる。
【００２０】
本発明においては、上記構成の記録再生装置において、放送番組の番組情報を取得する取得手段を備え、前記リファレンスデータは、第１の放送番組の記録されたタイトルの編集の際に指定された編集ポイントを記録したものであり、前記制御手段は、第２の放送番組の記録されたタイトルの手動編集を行う際に、前記第１の放送番組と前記第２の放送番組との番組情報を比較することによって類似度を算出し、出力装置に、前記類似度の高い順に前記リファレンスデータを並べたリストを表示させ、前記リストから、参照する前記リファレンスデータを選択する参照データ選択手段を備えたこととしてもよい。
【００２１】
これによると、制御手段は、番組情報の比較により算出した類似度の高い順にリファレンスデータを並べたリストを出力装置に表示させ、参照するリファレンスデータをユーザーに選択させるので、ユーザーは類似度を参照しながらリファレンスデータを自由に選択することができる。そのため、類似度が最も高いものでなくとも、ユーザーが、今編集を行おうとしているタイトルに適したリファレンスデータがあることを知っている場合には、それを選択することができ、そうでない場合には類似度が最も高いものを選択すればよいので、手動編集を効率的に行うことができる。
【発明の効果】
【００２２】
本発明によると、手動編集を効率的に行うことができる記録再生装置が提供される。
【発明を実施するための最良の形態】
【００２３】
本発明の実施形態について、図面を用いて説明すれば以下の通りである。
【００２４】
図１は、本発明の実施形態に係るハードディスクレコーダー１の概略の構成を示すブロック図である。ハードディスクレコーダー１は、チューナー２と、信号処理部３と、記録再生機構４と、プラッタ５と、リモコン６（入力手段、参照データ選択手段）と、受光手段７と、メモリ８（記憶手段）と、ＥＰＧ（Electric Program Guide）データ抜き取り回路９（取得手段）と、システムコントローラ１０（制御手段）とを備えている。そして、チューナー２にはアンテナ２０が接続され、信号処理部３にはテレビジョン装置３０（出力装置）が接続されている。
【００２５】
本実施形態に係るハードディスクレコーダー１を用いて放送情報を記録する時の処理の流れは以下の通りである。まず、チューナー２が、アンテナ２０を介して放送信号を受信し、受信した放送信号に対応する中間周波信号を信号処理部３に出力する。次に、信号処理部３は、チューナー２からの中間周波信号に各種信号処理を施し、得られたディジタル記録信号を記録再生機構４に送る。そして、記録再生機構４は信号処理部３から送られたディジタル記録信号をプラッタ５に記録する。
【００２６】
また、本実施形態に係るハードディスクレコーダー１を用いて情報を再生する時の処理の流れは以下の通りである。まず、記録再生機構４がプラッタ５に記録されたディジタル記録信号を読み取り、このディジタル記録信号を信号処理部３に送出する。次に、信号処理部３は、記録再生機構４で読み取られたディジタル記録信号に各種の信号処理を施し、出力信号をテレビジョン装置３０へ出力する。そして、テレビジョン装置３０を介して、映像、音声などが再生される。
【００２７】
受光手段７は、リモコン６に備えられた複数の入力キーの入力によって行われる各種指令に対応した、リモコン６からの赤外線信号を受光し、これを電気信号に変換してシステムコントローラ１０に伝達する。
【００２８】
また、本実施形態に係るハードディスクレコーダー１は、ＥＰＧデータ抜き取り回路９によって、チューナー２から送られた、放送信号の垂直消去帰線期間（ＶＢＩ）に重畳されているＥＰＧ信号に各種信号処理を施すことで、ＥＰＧ情報を取得することが可能である。そして、この得られたＥＰＧ情報は、メモリ８に記憶される。また、メモリ８は、ＥＰＧ情報以外にリファレンスデータの記憶も行う。なお、リファレンスデータの詳細については後述する。
【００２９】
システムコントローラ１０は、チューナー２と、信号処理部３と、記録再生機構４と、プラッタ５と、受光手段７と、メモリ８と、ＥＰＧデータ抜き取り回路９とに接続され、これらに対して制御指示信号を出力することで、各種動作を実行させている。
【００３０】
次に、プラッタ５に記録されたタイトルの手動編集について詳しく説明する。一般的な、記録されたタイトルの編集が可能な記録再生装置においては、手動編集は、対象となる記録されたタイトルが始めから終わりまで一定のスピードで再生され、ユーザーがチャプター挿入を行いたいポイントや、カットを行いたい場合のイン点（カット開始点）、アウト点（カット終了点）の指定などを行うことでなされる。
【００３１】
また、近年においては、多くの連続ドラマのように、毎回同じ番組構成で放送される番組を記録したタイトルの編集を行う際などに便利な自動編集機能を持つ記録再生装置も普及しつつある。自動編集とは、それ以前にあるタイトルの手動編集を行った際に指定された編集ポイントが記録されたリファレンスデータと同じポイントを編集ポイントとすることによって、編集を自動で行うものである。自動編集は、全く同じ番組構成の複数のタイトルの編集を行うときには、非常に効率的な方法である。
【００３２】
しかしながら、自動編集は、番組構成が全く同じでないと、視聴したい部分がカットされたり、不要な部分が残ったりするなどの問題点がある。連続ドラマや帯番組（月曜日から金曜日まで同じ時間に放送される番組）などにおいても、毎回の番組構成が全く同じとは限らず、そのような場合には自動編集を用いることができない。つまり、自動編集は柔軟性に欠ける編集方法であり、有用な場面は限られている。
【００３３】
それに対して、本実施形態に係るハードディスクレコーダー１は、柔軟性に優れている手動編集の効率を高めることができるものである。なお、ハードディスクレコーダー１は、従来通りの、対象となるタイトルが始めから終わりまで一定のスピードで再生され、ユーザーがチャプター挿入を行いたいポイントや、カットを行いたい場合のイン点（カット開始点）、アウト点（カット終了点）の指定などを行う手動編集も可能である。
【００３４】
そして、それに加えて、ハードディスクレコーダー１は、メモリ８に記憶されたリファレンスデータを参照した手動編集が可能である。以下、この詳細について、図２を用いて説明する。なお、リファレンスデータとは、それ以前にあるタイトルを手動編集した際に指定された編集ポイント（時間的な編集ポイント）が記録されたものである。つまり、手動編集が行われるたびに、メモリ８に記憶されているリファレンスデータの数が増えていく。また、リファレンスデータはモデルとなるものをいくつか、ハードディスクレコーダー１出荷前にメモリ８にプリセットしておいてもよい。
【００３５】
ここで、参照するリファレンスデータは図２（ａ）に示すような編集ポイントが記録されたものである場合を考える。なお、図２におけるＣは、チャプター挿入を表す。つまり、リファレンスデータに記録されている編集内容は、時間Ｔ１から時間Ｔ２の部分をカットし、時間Ｔ３においてチャプター挿入を行い、時間Ｔ４から時間Ｔ５の部分をカットするというものである。
【００３６】
そして、ユーザーは、プラッタ５に記録されたあるタイトルを、図２（ｂ）に示すように編集したいものとする。すなわち、時間ｕ１から時間ｕ２の部分をカットし、時間ｕ３においてチャプター挿入を行い、時間ｕ４から時間ｕ５の部分をカットしたいとする。つまり、ここで行いたい編集の内容は、リファレンスデータに記録されている編集内容と全く同じではないが、非常に似通っている。
【００３７】
このような状況は、連続ドラマや帯番組などにおいて、何らかの事情で、放送回ごとに若干番組構成が変動する場合などが考えられる。このような場合に、システムコントローラ１０は、手動編集のために対象となるタイトルの再生を行う際に、図２（ｃ）に示すように再生速度を可変とする。
【００３８】
すなわち、リファレンスデータの編集ポイントである時間Ｔ１、Ｔ２、Ｔ３、Ｔ４、Ｔ５の時間ｔ前より再生速度を大きく落とし、ユーザーが編集ポイントを指定しやすくする。そして、ユーザーが時間ｕ１、ｕ２、ｕ３、ｕ４、ｕ５のそれぞれにおいて編集作業を行うと、再生速度を元に戻す。
【００３９】
システムコントローラ１０が、手動編集の際にこのような制御を行うと、ユーザーは、行いたい編集の内容がリファレンスデータに記録されている編集内容と非常に似通っている場合に、編集ポイント付近で再生速度が大きく落ちるので、編集ポイントを指定しやすく、また、編集ポイント付近以外は高速再生が行われるので、手動編集を効率的に行うことが可能である。また、従来の自動編集と違い、行いたい編集の内容がリファレンスデータに記録されている編集内容と全く同じでなくても効率的な編集が行えることから、柔軟性に優れている。
【００４０】
なお、上記例においては、ユーザーが時間ｕ１、ｕ２、ｕ３、ｕ４、ｕ５のそれぞれにおいて編集ポイントを指定すると、再生速度を元に戻すこととした。これは、リファレンスデータの編集ポイントである時間Ｔ１、Ｔ２、Ｔ３、Ｔ４、Ｔ５のそれぞれに起因する速度低下指令が時間ｕ１、ｕ２、ｕ３、ｕ４、ｕ５におけるユーザーの編集作業によってそれぞれ解除されたからである。
【００４１】
ここで、例えば、リファレンスデータの２つの編集ポイントｊ１、ｊ２（ｊ１がｊ２より時間的に前）が、時間的に非常に近くにある場合、編集ポイントｊ２に対応する、編集中のタイトルの時点を通り過ぎた後に１度の編集作業が行われても、リファレンスデータの編集ポイントｊ１に起因する速度低下指令が解除されただけであり、リファレンスデータの編集ポイントｊ２に起因する速度低下指令は解除されていないので、見た目上は何も変わらず再生速度は低下したままである。
【００４２】
そして、その後にもう一度編集作業が行われることで、リファレンスデータの編集ポイントｊ２に起因する速度低下指令も解除され、再生速度が元に戻される。このようにすることで、リファレンスデータが時間的に非常に近い２つの編集ポイントを有しており、ユーザーがその２つの編集ポイント両方に対応した、編集中のタイトルの編集作業を行いたい場合、２度の編集作業をいずれも再生速度低下中に行うことができ、ユーザーにとって便利である。
【００４３】
また、ユーザーは、リファレンスデータの全ての編集ポイントに対応する、編集を行うタイトルの時点において編集作業を行うとは限らない。例えば、図２の例において、編集を行うタイトルにはチャプター挿入を行わないという場合である。この場合、リファレンスデータの時間Ｔ３におけるチャプター挿入に起因する再生速度の低下が、時間Ｔ３−ｔより継続してしまうと手動編集の効率が大幅に悪化する。
【００４４】
そのため、ハードディスクレコーダー１のリモコン６には速度低下解除指令を入力するボタンが備えられている。そして、時間Ｔ３−ｔより続いている再生速度低下中にこのボタンが押されると、リファレンスデータの時間Ｔ３におけるチャプター挿入に起因する速度低下指令が解除される。このように、リモコン６に速度低下解除指令を入力するボタンが備えられていることで、リファレンスデータの全ての編集ポイントに対応する位置での編集作業を行わない場合においても効率的な手動編集が可能となり、柔軟性に優れたハードディスクレコーダー１となる。
【００４５】
なお、リモコン６による速度低下解除指令は、１回入力されるごとにリファレンスデータの１つの編集ポイントに起因する速度低下指令が解除されることとする。例えば、リファレンスデータの２つの編集ポイントｊ１、ｊ２（ｊ１がｊ２より時間的に前）が時間的に非常に近くにある場合、編集ポイントｊ２に対応する、編集中のタイトルの時点を通り過ぎた後に速度低下解除指令が１度入力されても、リファレンスデータの編集ポイントｊ１に起因する速度低下指令が解除されただけであり、リファレンスデータの編集ポイントｊ２に起因する速度低下指令は解除されていないので、見た目上は何も変わらず再生速度は低下したままである。
【００４６】
そして、その後にもう一度速度低下解除指令が入力されると、リファレンスデータの編集ポイントｊ２に起因する速度低下指令も解除され、再生速度が元に戻される。このようにすることで、リファレンスデータが非常に近い２つの編集ポイントを有しており、ユーザーがその２つの編集ポイントのうちの前の編集ポイントに起因する速度低下指令を解除したい場合に、誤って後ろの編集ポイントに起因する速度低下指令まで解除してしまう心配がなく、ユーザーにとって便利である。
【００４７】
なお、ユーザーからの指示がない場合には、システムコントローラ１０は、上記のように再生速度を制御するが、リモコン６によるユーザーの指示があった場合には、再生速度の変更を可能とする構成としてもよい。
【００４８】
次に、メモリ８に記憶された複数のリファレンスデータからの、参照されるリファレンスデータの選択手順について説明する。ユーザーが、リモコン６を用いて、プラッタ５に記録されたタイトルの手動編集指令を出したときに、システムコントローラ１０は、テレビジョン装置３０を介して、リファレンスデータの参照を行うか否かをユーザーに尋ねる。
【００４９】
ここで、ユーザーが、リモコン６を用いて、リファレンスデータを参照する旨の指令を行った場合には、システムコントローラ１０は、ＥＰＧデータ抜き取り回路５によって得られ、メモリ８に記憶されている、各リファレンスデータを作成する際に編集されたタイトル及び今編集を行おうとしているタイトルの番組情報を調べる。なお、番組情報は、編集されたタイトルや今編集を行おうとしているタイトルのストリーム自体から得られる場合もあり、そのようにして得られた番組情報を用いてもよい。
【００５０】
そして、システムコントローラ１０は、リファレンスデータを作成する際に編集されたタイトルの番組情報と今編集を行おうとしているタイトルの番組情報とを比較し、類似度が最も高いリファレンスデータを参照させることとする。なお、類似度の判定方法としては、例えば、以下のようなものが考えられる。
【００５１】
まず、比較を行いたい２つの番組情報について、（１）番組名の文字列の一致率、（２）放送された曜日が一致しているかどうか、（３）放送チャンネルが一致しているかどうか、（４）放送時間が一致しているかどうか、（５）１の毎週記録指令又は１の毎日記録指令に基づいて記録された番組同士であるか、（６）ジャンルが一致しているかどうかをそれぞれ求める。そして、それらの比較結果を多変量解析などを用いて重み付けすることなどによって類似度を点数化する。
【００５２】
そして、システムコントローラ１０は、リファレンスデータを作成する際に編集されたタイトルの番組情報と今編集を行おうとしているタイトルの番組情報との類似度が最も高いリファレンスデータを、今編集を行おうとしているタイトルの編集の際に参照されるリファレンスデータとする。また、メモリ８に、類似度がある一定レベル以下のリファレンスデータしか存在しない場合には、リファレンスデータの参照が不可となる構成としてもよい。
【００５３】
このようにすると、リファレンスデータに記録されている編集内容が、行いたい編集と非常に似通ったものとなる場合が多くなり、手動編集を効率的に行うことができる。
【００５４】
なお、リファレンスデータを参照する場合に、システムコントローラ１０は、類似度の高い順に、メモリ８に記憶されている全てのリファレンスデータを並べたリストを作成して、テレビジョン装置３０に出力させ、ユーザーがリモコン６を用いて、このリストからリファレンスデータを選択することとしてもよい。
【００５５】
このようにすると、テレビジョン装置３０に出力された、類似度の高い順に並べられたリファレンスデータのリストから、ユーザーが参照するリファレンスデータを選択できる。したがって、類似度が最も高いものでなくとも、ユーザーが、今編集を行おうとしているタイトルに適したリファレンスデータがあることを知っている場合には、それを選択することができ、そうでない場合には類似度が最も高いものを選択すればよいので、手動編集を効率的に行うことができる。
【００５６】
また、毎週録画などが設定されている場合には、ｎ−１回目以前の放送が記録されたタイトルを編集した際の編集内容をリファレンスデータとして参照し、ｎ回目の放送が記録されたタイトルの編集が行われる場合が多いと考えられる。このとき、２回目以降の放送が記録されたタイトルの編集を行う際に、リファレンスデータと実際の編集内容の差異を学習していき、例えば、５回連続で、指定された編集ポイントとリファレンスデータの編集ポイントとの時間差の合計がｋ秒以内である場合には、該毎週録画などにおける、それ以降の放送回分が記録されたタイトルは自動編集するような機能を持たせてもよい。
【００５７】
この場合、システムコントローラ１０は、テレビジョン装置３０を介して、ユーザーに適用の可否を尋ねた上で、ユーザーによる了承が得られた場合に自動編集を適用するようにする。そして、システムコントローラ１０は、自動編集結果をイントロ再生させることによって、ユーザーに編集結果を確認させる制御を行ってもよい。
【００５８】
また、上記実施形態においては、手動編集が行われるたびに、リファレンスデータがメモリ８に記憶されることとなる。しかしながら、メモリ８にそれ以前に記憶されているリファレンスデータと、メモリ８に記憶させようとしているリファレンスデータの類似度を計算することによって、類似度が極端に高いリファレンスデータは、古い方を消去することとしてもよい。このようにすると、メモリ８の容量オーバーの防止につながる。
【００５９】
また、本実施形態においては、編集について、バーチャルタイトルを作成することによって元データを保持したまま行うのか、元データを直接編集するのかについては触れていないが、どちらであっても構わない。
【００６０】
なお、本発明は上記の実施の形態に限定されず、本発明の趣旨を逸脱しない範囲で、種々の変更が可能である。例えば、本発明が適用される記録再生装置は、ハードディスクレコーダーでなくともよく、ＤＶＤレコーダーなどでもよい。
【産業上の利用可能性】
【００６１】
本発明は、記録再生装置として有効である。
【図面の簡単な説明】
【００６２】
【図１】本発明の実施形態に係るハードディスクレコーダーの概略の構成を示すブロック図である。
【図２】本発明の実施形態に係る、リファレンスデータを参照した手動編集時の、システムコントローラによる再生速度制御法を示す説明図である。
【符号の説明】
【００６３】
１    ハードディスクレコーダー（記録再生装置）
６    リモコン（入力手段、参照データ選択手段）
８    メモリ（記憶手段）
９    ＥＰＧデータ抜き取り回路（取得手段）
１０    システムコントローラ（制御手段）
３０    テレビジョン装置（出力装置）
【図１】
2007213678.tif 000003
【図２】
2007213678.tif 000004